(57)【要約】【課題】良好な高圧検出波形を得ることができる高圧トランスを提供する。【解決手段】高圧トランスは、ボビンと、前記ボビンの胴部に巻きつけられる１次巻線と、前記ボビンの胴部に、前記１次巻線に並列に巻きつけられる２次巻線と、前記２次巻線の電圧を検出するために、前記２次巻線によって覆われるように前記２次巻線の内側に巻きつけられる３次巻線とを有する。前記３次巻線を、前記２次巻線よりも巻き幅が狭くなるように構成し、前記３次巻線の前記１次巻線側の端部が、前記２次巻線の前記１次巻線側の端部よりも、前記１次巻線から遠ざかる位置に位置付けられるように、前記３次巻線を配置する。【選択図】図１
2008140804.tif 000002
【特許請求の範囲】
【請求項１】
高圧トランスであって、
ボビンと、
前記ボビンの胴部に巻きつけられる１次巻線と、
前記ボビンの胴部に、前記１次巻線に並列に巻きつけられる２次巻線と、
前記２次巻線の電圧を検出するために、前記２次巻線によって覆われるように前記２次巻線の内側に巻きつけられる３次巻線とを有し、
前記３次巻線は前記２次巻線よりも巻き幅が狭く構成され、
前記３次巻線の前記１次巻線側の端部が、前記２次巻線の前記１次巻線側の端部よりも、前記１次巻線から遠ざかる位置に位置付けられるように、前記３次巻線が配置されている高圧トランス。
【請求項２】
請求項１記載の高圧トランスであって、
前記３次巻線は、前記ボビンの軸方向における、前記２次巻線の略中央の位置に設けられている高圧トランス。
【発明の詳細な説明】
【技術分野】
【０００１】
本発明は、検出巻線を備えたトランスに関する。
【背景技術】
【０００２】
バックライト用のインバータ電源に高圧トランスが用いられている。高圧トランスとしては、コアが挿入されたボビンの胴部に、１次巻線と２次巻線が、ボビンの胴部の軸方向に並んで巻き回された構造のものが知られている。
【０００３】
このような構造の高圧トランスには、２次巻線（高圧巻線）から出力される電圧を検出するために、高圧検出巻線（３次巻線）を備えたものが知られている。
【発明の開示】
【発明が解決しようとする課題】
【０００４】
高圧検出巻線を備えた高圧トランスでは、高圧検出巻線の出力は、約15Ｖの低い電圧である。高圧検出巻線は、２次巻線の内側に、２次巻線の１次巻線側端部と、端部の位置が一致するように配置されている。
【０００５】
しかし、このような高圧検出巻線を備えた高圧トランスでは、高圧検出巻線の出力に高周波成分が重畳して出力波形が歪むという現象が生じることがあった。このような高圧検出波形の歪みは、高圧保護回路の誤動作を引き起こす虞がある。
【０００６】
本発明は、このような実情に鑑みてなされたものであり、本発明の目的は、良好な高圧検出波形を得ることができる高圧トランスを提供することにある。
【課題を解決するための手段】
【０００７】
上記課題は、例えば、特許請求の範囲に記載の発明によって解決される。
【発明の効果】
【０００８】
本発明の高圧トランスによれば、良好な高圧検出波形を得ることができる。
【発明を実施するための最良の形態】
【０００９】
以下、本発明に従う高圧トランスの実施形態について図面を用いて説明する。
【００１０】
図１に高圧トランスの模式図を示す。高圧トランス１は、ボビン１１と、１次巻線（低圧巻線）１２と、２次巻線（高圧巻線）１４と、高圧検出巻線（不図示）とを有する。
【００１１】
図２には、ボビン１１に高圧検出巻線（３次巻線）が巻きつけられている様子を模式的に示した。
【００１２】
ボビン１１は、樹脂により形成され、その胴部には、１次巻線及び２次巻線を巻きつけるための複数の溝部（巻線溝）１〜８が形成されている。本実施形態では、溝部の個数は８個とした。溝部１〜８の径は、低圧側から高圧側に向かうに従って大きくなるにように構成されている。ボビン１１の両端には端子１９ａ〜１９ｊが設けられている。
【００１３】
図１に示した高圧トランス１では、ボビン１１の溝部１に１次巻線１２が巻きつけられ、溝部３〜８にわたって２次巻線が巻きつけられている。高圧検出巻線１６は、２次巻線１４の略中央に位置する溝部５に巻きつけられており、高圧検出巻線１６を覆うように２次巻線１４が重ね巻きされている。ここでは、高圧検出巻線１６は、２次巻線と接するように重ね巻きしたが、高圧検出巻線１６と２次巻線との間に絶縁物等を介在させても良い。
【００１４】
本実施形態では、溝部１〜８の径は、低圧側から高圧側に向かうに従って大きくなるにように構成されているが、高圧検出巻線１６が形成される溝部５が、他の溝部よりも径が大きく又は小さく形成されていてもよい。また、２次巻線が巻きつけられる溝のうち、一定の径とし、一部の溝だけの径を大きく又は小さく形成してもよい。また、高圧検出巻線１６は、二つ又は二つ以上の溝部に巻きつけられていてもよい。
【００１５】
本実施形態では、胴部に形成される溝部の数を８個にしたが、本発明においては、溝部の個数は８個に限定されない。また、溝部の深さ、幅も特に限定されない。
【００１６】
高圧検出巻線の巻数や材料もまた、特に限定されず、１次巻線と２次巻線との比、使用電圧などに応じて、適宜設定し得る。
【００１７】
つぎに、高圧検出巻線１６を形成する位置と、高圧検出巻線１６の検出波形との関係を調べた。図２から８に、２次巻線１４に対する高圧検出巻線の位置と、その位置に形成された高圧検出巻線から検出される検出波形を示す。図２から８において、紙面上側に高圧検出巻線の位置の図を示し、紙面下側に、２次巻線の出力波形と、高圧検出巻線の検出波形のグラフを示した。
【００１８】
図２に示されるように、溝部２に高圧検出巻線１６を形成して、高圧検出巻線１６の上に２次巻線を重ね巻きせずに、１次巻線と２次巻線の間に高圧検出巻線を形成したトランスにおいては、高圧検出巻線１６からの電圧波形は、高周波成分が重畳されて歪んでいることがわかる。
【００１９】
また、図３に示されるように、高圧検出巻線を１次巻線に最も近い溝部３に設けた場合についても同様に、高圧検出巻線から電圧波形には、高周波成分が重畳されて歪んでいることがわかる。
【００２０】
一方、図４から図８に示されるように、高圧検出巻線１６を、溝部３よりも、１次巻線１２から遠ざかる方向に離れて配置されている溝部４〜８に形成することにより、高圧検出巻線１６の電圧波形の歪が低減されることがわかる。特に、高圧検出巻線１６を２次巻線１４の略中央に形成した場合に、高圧検出巻線１６からの検出波形の歪みが最も低減されている。
【００２１】
図９には、図１に示した構造の高圧トランスにおいて、高圧検出巻線の位置に対する高圧検出巻線の漏れインダクタンスのグラフを示した。
【００２２】
ボビン１１に形成されている複数の溝部２〜８（巻線溝Ｎｏ．２〜８）のうち、２次巻線部１４の長さ方向の略中央に位置する溝部５に高圧検出巻線１６を設けた場合に、漏れインダクタンスが最も低くなっており、高圧検出巻線１６と２次巻線１４の結合が最も強くなっていることがわかる。
【００２３】
本発明は、開磁路型の高圧トランスと閉磁路型の高圧トランスのどちらにも適用可能である。
【００２４】
以上説明したように、高圧検出巻線の巻線方法を工夫することにより、高圧検出電圧の波形を改善できる。これにより、高圧保護回路の動作を安定化することができる。
【００２５】
このような本発明の高圧トランスは、例えば、液晶表示装置のインバータ電源に用いられる。図１０及び図１１に、それぞれ、高圧トランスを用いたインバータ電源５００のブロック図と、そのインバータ電源５００を備える液晶表示装置６００のブロック図を示す。
【００２６】
図１０に示すように、インバータ電源５００は、バックライトユニットの冷陰極管を点灯させるための電源であり、本発明に従うトランス１００と、そのトランス１００を駆動するための駆動回路５１０と、その駆動回路５１０を制御するための制御回路５２０とを有する。制御回路５２０は、高圧トランス１００の出力を検出して駆動回路５１０を制御することができる。
【００２７】
図１１に示すように、液晶表示装置６００は、信号回路６１０と、液晶パネル６２０と、バックライトユニット６３０と、インバータ電源５００と、制御回路６４０とを備える。信号回路６１０に入力された映像信号は、信号回路６１０において信号処理された後、液晶パネル６２０に出力される。インバータ電源５００は、バックライトユニット６３０に接続されており、制御回路６４０により入力電圧等が制御されて、バックライトユニット６３０の冷陰極管を点灯させる。
【００２８】
以上、本発明に従う高圧トランスの実施の形態について詳細に説明したが、本発明は、上記実施形態に限定されるものではなく、本発明の主旨を逸脱しない範囲において、種々の改良や変更を行うことができる。
【００２９】
例えば、上記例では、本発明を、インバータ電源に用いられる高圧トランスに適用したが、これに限らず、種々のトランスに適用可能である。
【図面の簡単な説明】
【００３０】
【図１】図１（ａ）は、本発明に従う高圧トランスの概略図であり、図１（ｂ）は、高圧検出巻線の形成されている位置を示す図である。
【図２】図２は、２次巻線に対する高圧検出巻線の位置と、その位置に形成された高圧検出巻線から検出される検出波形である。
【図３】図３は、２次巻線に対する高圧検出巻線の位置と、その位置に形成された高圧検出巻線から検出される検出波形である。
【図４】図４は、２次巻線に対する高圧検出巻線の位置と、その位置に形成された高圧検出巻線から検出される検出波形である。
【図５】図５は、２次巻線に対する高圧検出巻線の位置と、その位置に形成された高圧検出巻線から検出される検出波形である。
【図６】図６は、２次巻線に対する高圧検出巻線の位置と、その位置に形成された高圧検出巻線から検出される検出波形である。
【図７】図７は、２次巻線に対する高圧検出巻線の位置と、その位置に形成された高圧検出巻線から検出される検出波形である。
【図８】図８は、２次巻線に対する高圧検出巻線の位置と、その位置に形成された高圧検出巻線から検出される検出波形である。
【図９】図１に示した高圧トランスの高圧検出巻線の位置に対する高圧検出巻線の漏れインダクタンスのグラフである。
【図１０】本発明に従う高圧トランスを用いたインバータ電源のブロック図である。
【図１１】図１０に示すインバータ電源を備える液晶表示装置のブロック図である。
【符号の説明】
【００３１】
１〜８…巻線溝、１０…高圧トランス、１１…ボビン、１２…１次巻線、１４…２次巻線、１６…高圧検出巻線、１９ａ〜ｊ…端子、５００…インバータ電源、５１０…駆動回路、５２０…制御回路、６００…液晶表示装置、６１０…信号回路、６２０…液晶パネル、６３０…バックライトユニット、６４０…制御回路
【図１】
2008140804.tif 000003
【図２】
2008140804.tif 000004
【図３】
2008140804.tif 000005
【図４】
2008140804.tif 000006
【図５】
2008140804.tif 000007
【図６】
2008140804.tif 000008
【図７】
2008140804.tif 000009
【図８】
2008140804.tif 000010
【図９】
2008140804.tif 000011
【図１０】
2008140804.tif 000012
【図１１】
2008140804.tif 000013